【手続補正書】
【提出日】平成17年12月22日(2005.12.22)
【手続補正１】
【補正対象書類名】明細書
【補正対象項目名】０００６
【補正方法】変更
【補正の内容】
【０００６】
図３４で、スポンジ５は直方体で、スポンジ５の幅方向の中央部には幅の狭い直線状の溝８がスポンジ５の長さ方向全体に設けられており、釣り針６，６ａ，６ｂの針軸を溝８に差し込むと、溝８は、釣り針で拡げられるために収縮しようとする復元力によって釣り針６，６ａ，６ｂの針軸を挟み込んで釣り針を保持している。また、蓋３はケース２よりも少し大きく、ケース２の上からかぶせられるように構成されており、蝶番４によって開閉可能に構成されている。
【手続補正２】
【補正対象書類名】明細書
【補正対象項目名】０００７
【補正方法】変更
【補正の内容】
【０００７】
図３４に示したような従来の釣り針収納具にハリスのついた釣り針を収納する場合は、溝８に釣り針６，６ａ，６ｂを互いに当たらないように並べて収納し、各ハリス７，７ａ，７ｂをケース２内に入るようにスポンジ５の上に適宜曲げて配置するか、スポンジ５をケース２から一旦出してスポンジ５の周囲にハリスを巻きつけて、ケース２に再び入れて、蓋３を閉じてハリス付き釣り針を収納していた。
【手続補正３】
【補正対象書類名】明細書
【補正対象項目名】００２７
【補正方法】変更
【補正の内容】
【００２７】
本発明の目的の達成を図るため、本発明の請求項１に記載の釣り針収納具は、ハリスのついた魚釣り用の釣り針を複数本収納することが出来る釣り針収納具で、前記釣り針収納具には少なくとも１つの釣り針収納具本体があり、前記釣り針収納具本体は、釣り針保持部と前記釣り針保持部のハリス付き釣り針の針先部分を収納する側とは異なる側に設けられたハリス収納空間を有するハリス収納部を有しており、前記ハリス収納部は、そのハリス収納空間が、前記釣り針収納具本体自体に形成されたハリス収納空間を有するハリス収納部と前記釣り針収納具本体をケースに取り付けた場合にその結果として形成されるハリス収納空間を有するハリス収納部のいずれか一方または双方の形態を有しており、前記釣り針保持部の一方の側（以下、釣り針保持部の表側ともいう）にハリス付き釣り針の針先部分を保持することができ、前記釣り針保持部の他方の側（以下、釣り針保持部の裏側ともいう）にハリス付き釣り針のハリスを収納することができることを特徴としており、さらに、前記釣り針保持部は、複数のハリス挿入穴を有しているとともに、前記釣り針保持部の裏側の少なくとも一部が前記ハリス収納部の内壁の一部を形成しており、前記ハリス挿入穴は、それが設けられている釣り針保持部の表側から裏側へ釣り針についているハリスを挿入して通過させることができ、当該釣り針の針先部分を前記ハリスを通過させた当該釣り針保持部の表側に留めておくことが出来るような形状と寸法に形成されており、前記ハリス収納部は、前記ハリス挿入穴を通過させたハリスを収納しておくことができる空間を形成する内壁で仕切られたハリス収納空間を有しており、前記釣り針保持部の針先を留めておく側の裏側が前記内壁の少なくとも一部を形成していることを特徴としている。
【手続補正４】
【補正対象書類名】明細書
【補正対象項目名】００４０
【補正方法】変更
【補正の内容】
【００４０】
本発明の請求項１２に記載の釣り針収納具は、請求項１〜１１のいずれか１項に記載の釣り針収納具において、前記釣り針保持部が、板状になっており、前記板状の釣り針保持部の中央部に穴が空いているいわゆるリング状になっていることを特徴としている。この中央部の穴は、たとえば、これに限定されないが、穴に指を入れて、挟んで持ったり、この穴にケースの突起部や穴部などを係合するようにケースに釣り針収納具本体を装着し、ケースの蓋を開けるなどケースを取り扱うときに、前記穴の部分に指を入れて、他の指をケースの外周に当てて挟み、容易に蓋を開けることができるなど、釣り針保持部の使い勝手をよくする効果をもたらす。釣り針収納具を薄く形成したときは、この穴は釣り針収納具の取扱に重要な役割をする。なお、前記穴は、釣り針保持部の中央部に設けることを特徴とした例を記したが、後述の実施の形態例の説明を含む本発明の技術思想から明らかに推測することができるように、一つの好適な例が釣り針保持部の中央部に設けられたものであり、用途によっては、中央部からずれた位置に設けて、本発明の効果を大きくすることもできるものである。
【手続補正５】
【補正対象書類名】明細書
【補正対象項目名】００５９
【補正方法】変更
【補正の内容】
【００５９】
本発明の請求項２５に記載の釣り針収納具は、請求項１９〜２４のいずれか１項に記載の釣り針収納具において、前記釣り針保持部の第１の穴の中心と第２の穴の中心を結んだ線（以下、第１の直線ともいう）が、前記第１の穴の中心と当該釣り針保持部の輪郭の中心を通る中心軸線とを結んだ線に直交する線を当該釣り針保持部の表面へ投影した直線（以下、第２の直線ともいう）となす角の鋭角の方の角が、６０°未満の大きさの所定の角度θ４をなすように、前記第１の穴と第２の穴が設けられていることを特徴としている。
【手続補正６】
【補正対象書類名】明細書
【補正対象項目名】００６０
【補正方法】変更
【補正の内容】
【００６０】
本発明の請求項２６に記載の釣り針収納具は、請求項２５に記載の釣り針収納具において、前記角度θ４が３０°以下の値の角度であることを特徴としている。
【手続補正７】
【補正対象書類名】明細書
【補正対象項目名】００６８
【補正方法】変更
【補正の内容】
【００６８】
前記請求項２９〜請求項３１に記載の特徴は、携帯性と安全性を高め、前記請求項１〜請求項２８に記載の本発明の効果を真に高めることができるものである。特に、イカリ針の収納には重要な特徴の一つである。
【手続補正８】
【補正対象書類名】明細書
【補正対象項目名】００６９
【補正方法】変更
【補正の内容】
【００６９】
本発明の請求項３２に記載の釣り針収納具は、請求項１〜３のいずれか１項に記載の釣り針収納具において、前記釣り針保持部に形成されているハリス挿入穴として、当該釣り針保持部のハリス挿入穴が形成されている表面の一方の側に形成されている複数のハリス挿入穴（以下、第１のハリス挿入穴群ともいう）と当該釣り針保持部の前記第１のハリス挿入穴群が形成されている側とは異なる側に形成されている複数のハリス挿入穴（以下、第２のハリス挿入穴群ともいう）が形成されており、前記第１のハリス挿入穴群のハリス挿入穴から前記ハリス収納部内に収納されるハリス（以下，第1のハリスともいう）と前記第２のハリス挿入穴群のハリス挿入穴から前記ハリス収納部内に収納されるハリス（以下，第２のハリスともいう）とを、前記第1のハリス挿入穴群の１つのハリス挿入穴の中心と前記第２のハリス挿入穴群の１つのハリス挿入穴の中心を通り，ハリス収納部の底面と釣り針保持部の表面または裏面または中間面の少なくとも1つに垂直なハリス収納部を含む面（以下，当該垂直断面ともいう）に投影した場合，前記第1のハリスの投影と前記第２のハリスの投影が互いに交差する方向を向いて進行するように各ハリスが挿入されるように、前記第１のハリス挿入穴群のハリス挿入穴と前記第２のハリス挿入穴群のハリス挿入穴が傾けて形成されていることを特徴としている。
【手続補正９】
【補正対象書類名】明細書
【補正対象項目名】００８８
【補正方法】変更
【補正の内容】
【００８８】
図１〜図３で、符号１００は釣り針収納具、１０１はハリス収納部のハリス収納空間、１０２，１０４，１１４は釣り針保持部、１０３は釣り針収納具１００の外周壁、１０５と１０６は蓋、１０９ａ〜１０９ｃ，１０９ｅはハリスのついたイカリ針、１１０ａ〜１１０ｃはハリスのついたイカリ針の針部、１１１ａ〜１１１ｃはイカリ針１０９ａ〜１０９ｃのそれぞれについているハリス，１０７ａ〜１０７ｆはハリス挿入穴、１０８ａと１０８ｂはそれぞれ釣り針保持部の中央部に設けられた凹部、１１２ａ〜１１２ｆ，１１３，１１３ｂは釣り針保持部の周辺部近傍に設けられた凹部、Ｗ１は蓋を閉めたときの釣り針収納具の長さ、Ｗ２はハリス収納部のハリス収納空間のハリス挿入方向の寸法（以下、ハリス収納部の深さともいう）、φ１は釣り針収納具の直径である。
【手続補正１０】
【補正対象書類名】明細書
【補正対象項目名】００９１
【補正方法】変更
【補正の内容】
【００９１】
図２において、３本イカリ針の針部１１０ａの３本の針先の１つは凹部１０８ａに挿入され、残り２つは図示の２つの凹部１１２ａに挿入されており、その結果、イカリ針１０９ａの針軸はハリス挿入穴１０７ａに深く挿入でき、イカリ針１０９ａは安定して保持される。また、４本イカリ針の針部１１０ｂの４本の針先の１つは凹部１０８ａに挿入され、残り３つのうちの凹部１０８ａに挿入された針先の反対側にある針先は凹部１１２ｂに挿入され、他の２つは図示の２つのカギ型の凹部１１３に挿入されており、その結果、イカリ針１０９ｂの針軸はハリス挿入穴１０７ｂに深く挿入でき、イカリ針１０９ｂは安定して保持される。凹部１０８ａ，１１２ａ，１１２ｂ，１１３は釣り針保持部の回転や多少の揺れなどに対してそこに挿入されている針先が動かないように作用する。
【手続補正１１】
【補正対象書類名】明細書
【補正対象項目名】００９８
【補正方法】変更
【補正の内容】
【００９８】
このような釣り針収納具の使い方の場合、外周壁１０３の内径は、釣り針の収納に必要なだけ大きくすることができ、多数のハリス付イカリ針を収納しておくことができる。
【手続補正１２】
【補正対象書類名】明細書
【補正対象項目名】０１１０
【補正方法】変更
【補正の内容】
【０１１０】
図４〜図６において、符号１２０は釣り針収納具としての釣り針収納具本体、１２６はハリス収納部のハリス収納空間、１２１は釣り針保持部、１２１ａは釣り針保持部１２１の裏面、１２４は釣り針収納具１２０の中央部に設けられた空洞部、１２４ａは空洞部１２４の裏側にあたる壁でハリス収納部の内壁の一部、１２５は釣り針収納具１２０の外周壁、１２５ａは外周壁１２５の内側の壁でハリス収納部の内壁の一部、１２７はハリスのついたイカリ針、１２７ａはハリスのついたイカリ針の針部、１２７ｂは針部１２７ａの針軸、１２７ｃは針部１２７ａの針先、１２８はイカリ針１２７についているハリス，１２２は第１の穴としてのハリス挿入穴（以下、第１の穴としてのハリス挿入穴を、単に、ハリス挿入穴ともいう）、１２２ａはハリス挿入穴１２２の入口、１２３はハリス挿入穴１２２に対応してその近くに設けられた第２の穴としての凹部、１３０は釣り針保持部１２１に設けられた穴、１３１は釣り針収納具１２０の底板、１３１ａは底板１３１の内壁でハリス収納空間の内壁の一部、１２９はハリス挿入穴１２２と凹部１２３が形成されているはめ込み部品としての釣り針保持部品で、釣り針保持部１２１の穴１３０にはめ込まれている。符号１２９ａと１２９ｂは釣り針保持部品１２９の組込部で、釣り針保持部品１２９を穴１３０にはめ込むときに、組込部１２９ａは穴１３０の近傍で釣り針保持部１２１の周囲を浅く挟むようにして、組込部１２９ｂは穴１３０の周囲を深く挟み込むようにしてはめ込むことが出来る構造になっている。
【手続補正１３】
【補正対象書類名】明細書
【補正対象項目名】０１１１
【補正方法】変更
【補正の内容】
【０１１１】
図４で、釣り針収納具１２０の中央部にはその表側から裏側に貫通している空洞部１２４が設けられており、この空洞部１２４は、たとえば、釣り針収納具１２０にハリスのついたイカリ針を収納したり、釣り針収納具１２０に収納してあるイカリ針を取り出したりするときに、釣り針収納具を持っている手の指をこの空洞部に入れて釣り針収納具１２０を取り扱ったり、図示していないが、中央部に前記空洞部１２４に入る寸法・形状の突出部のあるケースに入れるときに、前記突出部と空洞部１２４を係合させて釣り針収納具１２０をケースに装着するのに用いることができる。
【手続補正１４】
【補正対象書類名】明細書
【補正対象項目名】０１２０
【補正方法】変更
【補正の内容】
【０１２０】
図６は、図４と図５を用いて説明した本発明の釣り針収納具の実施の形態例で図５と同じ位置にハリス挿入穴１２２がある釣り針収納具１２０に、ハリスのついた４本イカリ針を挿入した状態を説明する断面図で、ハリス挿入穴１２２の入口１２２ａから、イカリ針１２７のハリス１２８を挿入してハリス収納部１２６ａに導き、続いて、針軸１２７ｂをハリス挿入穴１２２に挿入する。このとき、針先１２７ｃを凹部１２３に図のように入れると、針軸１２７ｂがハリス挿入穴１２２に比較的奥まで入った状態で挿入され、針先１２７ｃは凹部１２３内におかれる。図示していないが、この状態で釣り針収納具１２０を蓋のついたケースに入れると、蓋の高さを適切に選べば、釣り針収納具１２０に強い衝撃がかかっても、蓋によって、イカリ針が抜けないように押さえることができる。
【手続補正１５】
【補正対象書類名】明細書
【補正対象項目名】０１２４
【補正方法】変更
【補正の内容】
【０１２４】
図７〜図１０で、符号１５０，１６０，１７０，１８０は釣り針収納具、１５１，１６１，１７１，１８１は釣り針保持部、１５２，１６２，１７２，１８２は下側ケース、１５３ａ〜１５３ｃ，１６３ａ〜１６３ｃ，１７３ａ，１７３ｂ，１８３ａ〜１８３ｃは釣り針保持部の第１の穴としてのハリス挿入穴、１５４ａ〜１５４ｃ，１６４ａ〜１６４ｃ，１７４ａ，１７４ｂは第２の穴、１５５，１６５，１７５，１８５はそれぞれ下側ケースの中央部の突出部で、各釣り針保持部の中央部に設けられた空洞部から上に突き出ている部分、１５６，１６６，１７６，１８６はハリス付イカリ針（ハリスは各第１の穴から釣り針保持部の裏側にあるハリス収納部に入れられているので見えない），１５６ａ，１６６ａ，１７６ａ，１８６ａは針軸，１５６ｂ１〜１５６ｂ３，１６６ｂ１〜１６６ｂ４，１７６ｂ１〜１７６ｂ３，１８６ｂ１〜１８６ｂ３は針先、１６７，１７７，１８７はスポンジである。
釣り針保持部の第１の穴としてのハリス挿入穴１５３ａ〜１５３ｃ，１６３ａ〜１６３ｃ，１７３ａ，１７３ｂ，１８３ａ〜１８３ｃはそれぞれ釣り針保持部の一方の側である図の上側（各釣り針収納具の外側）から他方の側である釣り針保持部の裏側すなわち、各下側ケースの中側に向けて、イカリ針の針軸についているハリスを通過させることができ、当該針軸のハリスのついている部分を挿入することができるが、針軸の各針先のように開いている部分は挿入することが出来ない寸法になっている。
【手続補正１６】
【補正対象書類名】明細書
【補正対象項目名】０１２９
【補正方法】変更
【補正の内容】
【０１２９】
図７は、釣り針保持部１５１に、第１の穴と第２の穴を各一本のイカリ針用に設けた例で、ハリス付の３本イカリ針１５６を釣り針収納具１５０に収納した状態を示している。ハリスは第１の穴としてのハリス挿入穴１５３ａから釣り針保持部１５１の下側へ挿入され、続いてハリスのついている針軸１５６ａが第１の穴１５３ａに挿入され、一本の針先１５６ｂ１が第２の穴１５４ａに挿入されている。図では、針先１５６ｂ２が隣の第２の穴１５４ｂに近いように見えるが、斜視図の書く角度によってそのように見えており、実際には、第２の穴１５４ｂに入る隣りのイカリ針とは干渉しないようになっている。以下、同様にして、第１の穴１５３ｂ，１５３ｃ，・・・と順次、別のハリス付イカリ針１５６を収納する。針先１５６ｂ１が第２の穴１５４ａに深く入っているため、針軸１５６ａは第１の穴１５３ａに斜めに安定して入っており、釣り針収納具１５０に多少の衝撃が加わっても、隣のイカリ針と絡まらない。
【手続補正１７】
【補正対象書類名】明細書
【補正対象項目名】０１３０
【補正方法】変更
【補正の内容】
【０１３０】
しかしながら、安全度をより高めるには、前記のように、上側ケースの使用がより好ましい。
【手続補正１８】
【補正対象書類名】明細書
【補正対象項目名】０１４１
【補正方法】変更
【補正の内容】
【０１４１】
図１２においては、ハリス付４本イカリ針２２６を収納した状態を示しているが、第１の穴２２３ａと第２の穴２２４ａの間に、針軸固定手段として、弾性体の輪の上部にスリットを入れた形状のクリップ２３１を設けてあり、第１の穴２２３ａにハリスと針軸２２６ａを入れ、第２の穴２２４ａに針先２２６ｂ１を入れたイカリ針２２６の針軸２２６ａの一部をクリップ２３１に挟み込んで固定している。これにより、釣り針収納具２２０の耐衝撃性を高めている。
【手続補正１９】
【補正対象書類名】明細書
【補正対象項目名】０１４５
【補正方法】変更
【補正の内容】
【０１４５】
図１４〜図１７で、符号２７０，２８０，２９０，３００は釣り針収納具、２７１，２８１，２９１，３０１は釣り針保持部、２７２，２８２，２９２，３０２は下側ケースの外周壁、２７３，２８３，２９３，３０３は下側ケースの底板、２７４，２８４，２９４，３０４はハリス収納部、２７５，２８５，２９５，３０５は下側ケースの突出部、２７６，２８６，２９６，３０６はハリス挿入穴，２７６ａ，２８６ａ，２９６ａ，３０６ａはハリス挿入穴の実質中心線、２７６ｂ，２８６ｂ，２９６ｂ，３０６ｂはハリス挿入穴の下側斜面、２７６ｃ，２８６ｃ，２９６ｃ，３０６ｃはハリス挿入穴の上側面，２７１ａ，２８１ａ，２９１ｂ，３０１ｂは釣り針保持部の裏面に平行な直線、θ２０はハリス挿入穴の実質中心線と釣り針保持部の裏面に平行な直線とのなす角度である。図１４〜図１７は、主として、ハリス挿入穴の角度θ２０の効果によって、ハリス収納部にハリスをいかに容易に、有害な変形をさせずに収納できるかを説明するための図であり、その他の部分は図４〜図１３と異なる符号を付しているが、部分的な違いを含んで図４〜図１３から判断できるところが多いため、図４〜図１３で説明した事項については、説明の重複を避けることにする。
【手続補正２０】
【補正対象書類名】明細書
【補正対象項目名】０１４６
【補正方法】変更
【補正の内容】
【０１４６】
図１４と図１５で、釣り針保持部２７１，２８１が平行平板に穴を開けた形状になっており、ケースの底板２７３，２８３も平行平板でその周囲に外周壁２７２，２８２が形成されている。そして、釣り針保持部２７１，２８１と底板２７３，２８３は平行になっている。釣り針保持部２７１，２８１は、ケースの外周壁２７２，２８２に着脱可能に装着されている。
【手続補正２１】
【補正対象書類名】明細書
【補正対象項目名】０１４７
【補正方法】変更
【補正の内容】
【０１４７】
ハリス挿入穴２７６，２８６は、その断面における下側斜面２７６ｂ、２８６ｂならびに上側面２７６ｃ，２８６ｃが平行になっており、実質中心線２７６ａ，２８６ａは斜面の２７６ｂ，２８６ｂに平行でハリス挿入穴２７６，２８６の中心を通る線に一致する。
【手続補正２２】
【補正対象書類名】明細書
【補正対象項目名】０１４８
【補正方法】変更
【補正の内容】
【０１４８】
しかし、ハリス挿入穴の斜面はそこに挿入される針軸の傾きを実質的に決めることになり、針軸挿入のし易さなどから、曲面に形成されることがある。また、ハリス挿入穴の上側面は、図４〜図１３を用いた説明でも記したように、ハリスと針軸を挿入する側すなわち図１４と図１５の図で上側の開口部の近傍や、ハリス収納部側の開口部の近傍は、穴の長さ方向の中央部よりも広がった形状に形成し、収納の容易さと安定化を図る場合がある。このような場合は、ハリス挿入穴の実質中心線は、そこに収納される針軸の収納時の傾きを主として決める斜面２７６ｂ，２８６ｂの傾きに平行で穴の中心を通る直線を意味する。
【手続補正２３】
【補正対象書類名】明細書
【補正対象項目名】０１５１
【補正方法】変更
【補正の内容】
【０１５１】
図１４〜図１７において、釣り針保持部の中央部には下側ケースの中央部に形成された突出部を入れることができる空洞部あるいは貫通穴（これらを総称して空洞部とも称する）（図１４，図１５では図示せず）が形成されている。
【手続補正２４】
【補正対象書類名】明細書
【補正対象項目名】０１５４
【補正方法】変更
【補正の内容】
【０１５４】
図１８〜図２０で、符号３１０，３３０は釣り針収納具、３１１，３３１は釣り針保持部、３１２，３３２は下側ケース、３１２ａ，３１２ｂ，３１２ｃは下側ケース３１２の底面としての実質的な平坦面（釣り針収納具３１０を平面上においたときの前記平面に実質的に平行な面）、３１３，３３３は下側ケースの外周壁、３１４，３３４は下側ケースの中央部に形成されている突出部、３１５，３３５は上側ケース、３１６，３３６は下側ケースと上側ケースの接続部、３１７ａ，３３７ａは上側ケースについている下側ケースとの契合部、３１７ｂ，３３７ｂは下側ケースについている上側ケースとの契合部、３２０，３２１，３４０，３４１は釣り針保持部に形成されている第１の穴としてのハリス挿入穴、３２５，３２６，３４５，３４６はハリス付イカリ針、３２５ａ，３２６ａ，３４５ａ，３４６ａは針軸、３２５ｂ，３２６ｂ，３４５ｂ，３４６ｂ は針軸についているハリス、３２７，３４７はハリス収納部である。
【手続補正２５】
【補正対象書類名】明細書
【補正対象項目名】０１５５
【補正方法】変更
【補正の内容】
【０１５５】
図１８〜図２０で、釣り針保持部３１１，３３１の中央部には、下側ケースの突出部３１４，３３４を入れることができる空洞部３１１ａ，３３１ａが形成されており、図中で突出部３１４，３３４が空洞部３１１ａ，３３１ａと契合して釣り針保持部３１１，３３１が下側ケースの所定位置（図示の位置）で位置決めされて（すなわち、下側ケースの、図示の、所定の高さで止められて）いる様子が示されている。
【手続補正２６】
【補正対象書類名】明細書
【補正対象項目名】０１６３
【補正方法】変更
【補正の内容】
【０１６３】
図２１と図２２は本発明の釣り針収納具の実施の形態例に用いられている上面が内側に傾斜した釣り針保持部の図で、図２１は釣り針保持部の半分を示した平面図でイカリ針を２個収納してある状態の図、図２２は図２１におけるＸ５−Ｘ６の位置の断面図である。
【手続補正２７】
【補正対象書類名】明細書
【補正対象項目名】０１６９
【補正方法】変更
【補正の内容】
【０１６９】
図２３〜図２５で、符号３５１は釣り針保持部、３５２は釣り針保持部３５１の下に形成されているハリス収納部の外側の内壁の位置を示す点線、３５３は図示していないハリス収納部の内周壁の外側で釣り針保持部の中央部の空洞部を形成している釣り針保持部３５１の内側面、３５４は釣り針保持部３５１の中央部に形成された空洞部（貫通穴）で、下側ケースの突出部が挿入される。符号３５５は第１の穴としてのハリス挿入穴、３５５ｃは第１の穴の中心、３５６は第２の穴としての針先を挿入する穴、３５６ｃは第２の穴３５６の中心、３６０は第１の穴の中心３５５ｃと釣り針収納具の中心でもある釣り針保持部の中心とを結んだ直線で釣り針保持部の中心軸線に直交する直線、３６１は図の平面内で第１の穴の中心３５５ｃを通り前記直線３６０に直交する直線、３６２は第１の穴の中心３５５ｃと第２の穴の中心３５６ｃを通る直線、θ３０は直線３６１と直線３６２のなす鋭角の方の角度である。角度θ３０は、図２３〜図２５で第１の穴の中心３５５ｃを中心にして、直線３６３もしくは直線３６４を９０°より少ない回転角で反時計回りに回転させると直線３６１に重なる状態のときの角度θ３０を正の値の角とし、時計回りに回転させると直線３６１に重なる状態の時の角度θ３０を負の値と定義する。
【手続補正２８】
【補正対象書類名】明細書
【補正対象項目名】０１７２
【補正方法】変更
【補正の内容】
【０１７２】
図２３〜図２５で、角度θ３０が＋７０°を越えない状態にすると、第１の穴３５５から挿入したハリスの先がハリス収納部の内周壁３５４ａ（この場合、釣り針保持部の空洞部の裏側の壁で構成されている）に突き当たって止められて大きく変形されることなく、ハリスの先は内周壁３５４ａに触れても、そこをすべってハリス収納部内に進行させられる。また、角度θ３０を７０°を越えない絶対値を有する角度にすると、第１の穴に挿入されたハリスの先端が、ハリス収納部の外側の内壁３５２に突き当たって止められて大きく変形されることなく、ハリスの先は内壁３５２に触れても、そこをすべってハリス収納部内に進行させられる。
【手続補正２９】
【補正対象書類名】明細書
【補正対象項目名】０１９０
【補正方法】変更
【補正の内容】
【０１９０】
図４〜図２８を用いて説明した釣り針収納具は、従来の魚釣り用具製造に多く用いられているようなプラスチックを用いた型成形技術によって形成することに加えて、合成ゴムを用いた型成形技術によって形成することもできる。合成ゴムとして、たとえば、シリコーンゴムなどの弾力性のある材料を用いて製造することができる。あるいは、、合成ゴムとして、ＮＢＲやウレタンゴムを用いることもできる。プラスチックを用いた型成形技術に関しては成型技術のノウハウが豊富に蓄積されているが、これらの合成ゴムに関しても、成形技術のノウハウが豊富に蓄積されており、量産に適している。また、部分的にシリコーンゴムと他のゴムを組み合わせて、たとえば、硬さと針の差し込み易さを適宜利用したものとして構成することもできる。
【手続補正３０】
【補正対象書類名】明細書
【補正対象項目名】０２０２
【補正方法】変更
【補正の内容】
【０２０２】
たとえば、本発明の釣り針収納具本体は、それ自体に釣り針保持部とハリス収納部を備えているものと、釣り針収納部のみの状態に見えるもので、ケースなど釣り針保持部以外の器に釣り針保持部を取り付けて該釣り針保持部の裏側とそれを装着したケースなどの器とでハリス収納部を形成するものとがある。後者も本発明でいう釣り針収納具本体である。そして、後者のようなハリス収納部も、本発明でいう釣り針収納具本体に形成されているハリス収納部である。また、本発明の技術思想に関する前記説明からもわかるように、ハリス挿入穴としての前記第１の穴や、針先を入れて収納の安定化に用いることができる前記第２の穴は、図示のような穴の入口の周囲に開口部のない穴に狭く限られるものではなく、スリットや、周囲に部分的に開口部のある実質的に穴の機能を果たすものなら、前記第１の穴や第２の穴としての本発明の前記効果をもたらすことができるものである。
【手続補正３１】
【補正対象書類名】明細書
【補正対象項目名】符号の説明
【補正方法】変更
【補正の内容】
【符号の説明】
１，１１，１００，１２０，１５０，１６０，１７０，１８０，２００，２２０，２５０，２７０，２８０，２９０，３００，３１０，３３０，５００，５２０，７００：釣り針収納具
２，１２，５２０：ケース
３，１３，１０５，１０６：蓋
４，１４：蝶番
５，１６７，１７７，１８７：スポンジ
６，６ａ，６ｂ，１０９ａ〜１０９ｃ，１０９ｅ，１２７，１５６，１６６，１７６，１８６，２０６，２２６，２５６，３２５，３２６，３４５，３４６，５０８，６０９ｂ，６０９ｃ，７０８ａ〜７０８ｆ：イカリ針
７，７ａ，７ｂ，１７，１１１ａ〜１１１ｃ，１２８，３２５ｂ，３２６ｂ，３４５ｂ，３４６ｂ，７０９ａ〜７０９ｆ：ハリス
８：溝
１５，２１１ａ〜２１１ｃ：磁石
１６：釣り針
１０１，１２６，２７４，２８４，２９４，３０４，３２７，３４７，５１０，６２０，７１０：ハリス収納部（ハリス収納空間）
１０２，１０４，１１４，１２１，１５１，１６１，１７１，１８１，２０１，２２１，２５１，２７１，２８１，２９１，３０１，３１１，３３１，３５１，５０５，６００，７０１：釣り針保持部
１０７ａ〜１０７ｆ，１２２，１５３ａ〜１５３ｃ，１６３ａ〜１６３ｃ，１７３ａ，１７３ｂ，１８３ａ〜１８３ｃ，２０３ａ〜２０３ｃ，２２３ａ，２５３ａ，２７６，２８６，２９６，３０６，３２０，３２１，３４０，３４１，３５５，５０６ａ〜５０６ｄ，６０６ａ，６０６ｂ，６０６ｃ，７０６ａ〜７０６ｆ：ハリス挿入穴（第１の穴）
１０８ａ，１０８ｂ，１１２ａ〜１１２ｆ，１１３，１１３ｂ，１２３，５０７ａ〜５０７ｄ：凹部
１１０ａ〜１１０ｃ，１２７ａ：針部
１２１ａ：裏面
１２２ａ：入口
１２４，３１１ａ，３３１ａ，３５４，５１５，６０４：空洞部
１２４ａ，１２５ａ：内壁
１０３，１２５，２７２，２８２，２９２，３０２，３１３，３３３，５１１：外周壁
１２７ｂ，１５６ａ，１６６ａ，１７６ａ，１８６ａ，２０６ａ，２２６ａ，２５６ａ，３２５ａ，３２６ａ，３４５ａ，３４６ａ，５０８ａ：針軸
１２７ｃ，１５６ｂ１〜１５６ｂ３，１６６ｂ１〜１６６ｂ４，１７６ｂ１〜１７６ｂ３，１８６ｂ１〜１８６ｂ３，２０６ｂ１〜２０６ｂ４，２２６ｂ１〜２２６ｂ４，２５６ｂ１〜２５６ｂ４：針先
１２９：釣り針保持部品
１２９ａ，１２９ｂ：組込部
１３０：穴
１５４ａ〜１５４ｃ，１６４ａ〜１６４ｃ，１７４ａ，１７４ｂ，２０４ａ〜２０４ｃ，２２４ａ，２５４ａ，３５６，６０７ａ，６０７ｂ，６０７ｃ，７０７ａ〜７０７ｆ：第２の穴
１３１，２７３，２８３，２９３，３０３：底板
１３１ａ：内壁
１５２，１６２，１７２，１８２，２０２，２２２，２５２，３１２，３３２，５２１：下側ケース
１５５，１６５，１７５，１８５，２０５，２２５，２５５，２７５，２８５，２９５，３０５，３１４，３３４：突出部
２１０，２３０，２６０：小口側
２１５，２３５，２６５：外側部
２３１，２６１：グリップ
２７１ａ，２８１ａ，２９１ｂ，３０１ｂ，３６０，３６１，３６２，３６３，３６４：直線
２７６ａ，２８６ａ，２９６ａ，３０６ａ：ハリス挿入穴の実質中心線
２７６ｂ，２８６ｂ，２９６ｂ，３０６ｂ：ハリス挿入穴の下側斜面
２７６ｃ，２８６ｃ，２９６ｃ，３０６ｃ：ハリス挿入穴の上側面
３１２ａ，３１２ｂ，３１２ｃ：平坦面
３１５，３３５，５２２：上側ケース
３１６，３３６：接続部
３１７ａ，３３７ａ，３１７ｂ，３３７ｂ：契合部
３５２：ハリス収納部の外側の内壁の位置を示す点線
３５４ａ：ハリス収納部の内周壁
３５５ｃ，３５６ｃ：穴の中心
１２０，５００：釣り針収納具本体
５０１：外側部凹部
５０２，５０３：側壁
５０５ａ：底部
５１２：内周壁
５２３：接合部
５２４：ケースの開口部
５２５：側面突部
６０１：釣り針保持部の上面
６０２：釣り針保持部の上面６０１の上部平坦部
６０３：釣り針保持部の上面６０１の周辺傾斜部
３５３，６０５：釣り針保持部の中央部の内側面
６０８：円
６１０，６１１：中心線
Ｗ１：長さ
Ｗ２：深さ
φ１：直径
θ１０，θ２０，θ３０：角度